(57)【特許請求の範囲】
【請求項１】
ラップフィルム(8)を巻き芯に巻いたロール(9)を収納する開口部を有したケース本体(1)と、前記ケース本体(1)の前記開口部を開閉自在に覆うケース蓋体(4)と、前記ラップフィルム(8)を切断する切断刃(11)とを含むラップフィルムケースと、前記ラップフィルムケースを固定可能な受け皿を含むラップフィルムケースの受け皿システムであって、
前記ケース本体(1)の両側面にケース本体凹凸部(29、29B)を設け、
前記ケース本体凹凸部(29、29B)は、側面視、前記ケース本体(1)の底面側から反底面側へ向かい、かつ、ラップフィルム引き出し側から遠ざかる方向に傾斜する傾斜部、及び、前記底面に対して垂立する垂立部によって形成された台形状凹部、及び、前記台形状凹部に隣接して矩形に突出状態に形成された矩形状凸部を有し、
前記ラップフィルムケースを載せて固定状態に保持する受け皿(30)は、その両側端に受け皿凹凸部(31B)が設けられ、
前記受け皿凹凸部(31B)は、前記底面が支えられる水平部、前記水平部に続いて反ラップフィルム引き出し側に位置すると共に前記受け皿凹凸部(31B)の傾斜部と同一角度で傾斜する傾斜部、及び、前記水平部に対し垂立する垂立部によって形成された台形状凸部、及び、前記台形状凸部に隣接して矩形の凹状に形成された矩形状凹部を有し、前記ケース本体凹凸部(29、29B)は前記受け皿凹凸部(31B)にはまり合うことを特徴とするラップフィルムケースの受け皿システム。
【発明の詳細な説明】
【技術分野】
【０００１】
本発明は、ラップフィルムを巻き芯に巻いたロールから、ラップフィルムを必要量引き出し、切断して使用するラップフィルムケースの受け皿システムに関するものである。
【背景技術】
【０００２】
図１０に示す従来の、使い捨て式ラップフィルムケースは、巻き芯に巻いたロール５４が、紙製のケース本体５１に収納されている。使用する場合ケース蓋体５２を半分ほど開き、ラップフィルム５５の先端を目視できる状態とした後、ラップフィルム５５を摘み、必要な長さだけ引き出し、ケース蓋体５２の縁部に設けた切断刃５３を、ケース蓋体５２を閉じながらラップフィルム５５に押し当て、切断する構造である。
【０００３】
図１０に示す、従来のラップフィルムケースには、鋸刃状の切断刃５３が常時露出しているので、ラップフィルム５５の切断作業中は常に切断刃５３で指先を傷つける危険がある。
【０００４】
図１０に示す通り、ラップフィルム５５の切断後はその先端がケース蓋体５２に覆われていて目視できない。
【０００５】
そこで、図１１に示すように、ラップフィルム５５の先端を目視するために、ケース蓋体５２を半分程開く作業の必要がある。次の作業として目視出来たラップフィルム５５を摘まむのであるが、ラップフィルムはミクロン単位の薄膜であり、静電気や親和性等によりケース本体５１に被着していて、ラップフィルム５５の先端を摘むのは自在でない。
【０００６】
この解決法として、図１０、１１で示すように、ラップフィルム５５先端を摘み易くする、摘み補助加工５６がされたラップフィルムケースもあるが、材質が紙製で、使い捨て容器の制約の中で装具なので、十分に満足するものではない。
【０００７】
図１２に示す、別タイプのラップフィルムケースでは、切断したラップフィルム５５先端が、目視出来て、摘み易くして有り、摘む作業は改善された。しかし、一番怪我をしやすいケース本体５１の角部に、鋸歯状の切断刃６１が露出しているので、危険性は増大している。
【０００８】
従来のラップフィルムケースではラップフィルム５５先端が、ロール５４に貼り付いて作業が継続できない事が生じる場合がある。ラップフィルム５５先端がロール５４に貼り付いた場合、爪の先や、セロテープを使用して先端を剥がすのであるがこの復帰作業は大変煩雑である。
【０００９】
この原因は２つ有り、その１として、ケース蓋体５２を開く時に、ラップフィルム５５が引き上げられて舞い上がり、ロール５４へ貼り付いてしまう場合である。
【００１０】
原因その２として、ロール５４がケース本体５１の中で空転する事により巻き戻りが生じて、ラップフィルム５５がロール５４へ貼り付いてしまう場合である。
【００１１】
原因その１の解決法は、図１０、１１に示すように、粘着材塗布部５７をケース本体５１へ設け、ラップフィルム５５を一時的に貼り付ける方法である。しかし、粘着物でラップフィルム５５を貼り付ける方法なので、ラップフィルム５５を引き出す作業では、初めに、ラップフィルム５５をまくり上げてケース本体５１から剥がす事が必要となるので使い勝手が良いとは言えない。
【００１２】
原因その２の解決法は、図１０、図１２に示すように、ロール５４の巻き戻りとロール５４の飛び出しを防止する、巻き芯押え加工５８を形成する方法である。しかし、ボール紙を押し曲げるだけの為、又ロール５４の残量が少なくなり、ロール直径が小さくなると防止機能は十分でない。
【００１３】
従来の、使い捨て式ラップフィルムケースは、ラップフィルム使い切り後、紙類、金属類、プラスチック類を分解分別して廃棄処分するのであるが、手数が煩雑であるのと、切断刃の分別作業で指先を怪我する危険がある。
【００１４】
従来の、ラップフィルムケースはロールごとに紙ケースを使い捨てるので、大切な森林資源の無駄使いである。
【００１５】
文献、特開２００５−８８９９１に有る、詰め替え型のハードケースがある。ケース蓋体を閉じた状態では切断刃が蓋体内部に収納され、怪我の心配が無く安全である。しかし、ケース蓋体を開けた状態では切れ味の良い切断刃の刃先が露出し指先を怪我する状態となる。怪我をする危険は防止されず安全性が改善されたとは言えない。
【００１６】
前記ハードケースは、ラップフィルムの巻き戻りによるラップフィルム先端のロールへの貼り付き防止の固定法に、粘着材料をケース本体へ塗布して、ラップフィルムを一時的に貼り付けているので、ラップフィルムを、摘まみ、引き出す為にケース蓋体を開き粘着材塗布部からラップフィルムを剥がしてから、ラップフィルムを引き出さねばならない、又、切断する為に再びケース蓋体を閉じる作業が必要で、使い勝手は改善されていない。
【００１７】
総じて言えるのは、従来の使い捨て式ラップフィルムケースは、露出した切断刃で常に指先を怪我する危険が有り指先を気にしながらの作業となり信頼性がたりない。切断作業にはそのつどケース蓋体の開閉をして煩雑である。強い力を入れると安定性が無い。ラップフィルムのロールへの貼り付き、使いきり後の分別分解作業、資源の無駄使いなど。老若男女が安心してさわやかに使えるとは言えないのが従来のラップフィルムケースの背景である。
【先行技術文献】
【特許文献】
【００１８】
【特許文献１】特開２００６−３６３１１
【特許文献２】特開２００５−８８９９１
【特許文献３】特開２００１−１６３３２８
【特許文献４】特許第３２５８４８２号
【発明の概要】
【発明が解決しようとする課題】
【００１９】
これらの問題解決のために、次のような課題が存在する。
【００２０】
露出した切断刃の刃先で、指先を傷つける危険と心配を取り除く課題。
【００２１】
ラップフィルム先端が常時、目視出来て、自在につまみ引き出せる課題。
【００２２】
ラップフィルム切断作業のつど、ケース蓋体を開けたり、閉めたりの煩雑さを無くす課題。
【００２３】
ケース蓋体を開けた時に、ラップフィルム先端が舞い上がり、ロールへ貼り付き、摘めなくなってしまうことを防止する課題。
【００２４】
切断終了時の反動や、ケースを動かすことで、ロールが空回転し、ラップフィルム先端が巻き戻されてロールへ貼り付き、摘めなくなってしまうことを防止する課題。
【００２５】
ラップフィルム使い切り後の、紙類、金属類、プラスチック類などに分別分解する作業を無くし、分解作業中の切断刃による怪我を無くす課題。
【００２６】
手持ち式としての使用法だけでなく、これを固定式としても使用できるシステムとする課題。
【００２７】
ハードケースにして長期間使用する、又、短いロールも使えることの課題。
【００２８】
資源の無駄を無くす時なのに、紙ケースの使い捨て方式である。使い捨てる森林資源の無駄使いを無くす課題。
【課題を解決するための手段】
【００２９】
本発明は前記課題を解消する為に考案され、以下概要を説明する。
【００３０】
蓋体縁部に固定されていた、切断刃を分離独立し、ケース蓋体の切断刃収納部へ切断刃を引き込み式に自動収納する方式の切断装置を構成する。
【００３１】
ケース蓋体ラップフィルム引き出し側縁部に指先が入る切欠部を形成し、ケース蓋体を閉じた時に相対するケース本体底辺角部へも指先が入る切欠部を形成し、ケース蓋体を開けることなくラップフィルムが目視でき、そのまま摘まめるようにする複合切欠部を形成する。
【００３２】
前記切断装置と複合切欠部により、ラップフィルムの切断作業から、蓋体の開閉が不要でワンタッチ切断のできるラップフィルムケースとする。
【００３３】
収納したロールを覆う蓋形状で、ケース本体縁部のヒンジにより連結され、自在に開閉が出来る貼り付き防止具を構成する。貼り付き防止具の幅はラップフィルム８の中央部だけでもよく、全幅でも良い。貼り付き防止具の閉止方法は磁力引き付け力とし、貼り付き防止具縁部と相対する本体縁部に磁力体を設ける。
【００３４】
ケース本体に収納したロールのガタやロールの空回転を防止する為、ロールを押圧する回転制御具を構成し、ロールを押圧するロール押え部には弾性部を設け、蓋体に固定され、蓋体を閉じた時にロールを一定の押圧にて押圧する機能を持たせる。
【００３５】
詰め替え式で、短いロールも使用出来、長期間使用出来る、ハードケースを製作する。
【００３６】
固定式として使用するラップフィルムケースを、専用の受け皿を設け、ラップフィルムケース側面に凹凸形状部を設け、受け皿両側端にも凹凸形状部を設け、配置しやすく、脱落しない、固定式受け皿のシステムを構成する。
【発明の効果】
【００３７】
以上の構成により、本発明は次のような効果を生じる。
切断装置により切断刃が自動的にケース蓋体の切断刃収納部へ収納されるので、切断刃で指先を怪我する危険が無くなり安全性が向上する。
【００３８】
複合した切欠部の構成で、ラップフィルム先端は常時目視出来、そのまま摘み、引き出せるので利便性が良くなる。
【００３９】
切断装置による切断方法と、複合した切欠部の構成で、ラップフィルムがワンタッチで切断出来て、ケース蓋体を開く作業と閉じる作業が不要となり、利便性が向上する。
【００４０】
貼り付き防止具を構成し、ケース蓋体を開けた時のラップフィルム舞い上がりによる、ロールへの貼り付つきを防止して、煩雑な復帰作業が無くなる。
【００４１】
回転制御具を構成し、ロールのから回転による巻き戻りが無く、ラップフィルム先端がロールへ貼り付いてしまうことが防止され、煩雑な復帰作業が無くなる。
【００４２】
回転制御具を構成し、ラップフィルムロールの残量に左右されず常にスムースにラップフィルムを引き出せるので、作業の安定性が向上する。
【００４３】
固定式受け皿とラップフィルムケースのシステムで、手持ち式としても、固定式としても、両用で使用できるので、利便性が向上する。
【００４４】
仕切り具を構成し、短いロールの使用も出来、ハードケースとなり作業の信頼性が向上する。
【００４５】
詰め替え式なので、紙類、金属、プラスチックなど、分解分別作業が不要となった。又、切断刃の分解作業での怪我の心配が無くなり安全性が向上する。
【００４６】
詰め替え式なので、使い捨て紙ケースが不要となり、森林資源の節約が出来る。
【図面の簡単な説明】
【００４７】
【図１】図１は、本発明のラップフィルムケースの受け皿システムにおけるラップフィルムケースのケース蓋体を開きフィルムロールを収納した状態を示す斜視図である。
【図２】図２は、本発明のラップフィルムケースの受け皿システムにおけるラップフィルムケースを手持ち式として使用し、ケース蓋体４を閉じた状態を示す斜視図である。
【図３】図３は、本発明のラップフィルムケースの受け皿システムにおけるラップフィルムケースの切断刃が切断刃収納部に収納されている状態を示す斜視図である。
【図４】図４は、本発明のラップフィルムケースの受け皿システムにおけるラップフィルムケースの切断刃押し具を押して、切断刃刃先が切断刃収納部より押し出され、ラップフィルムが切断出来る状態を示す斜視図である。
【図５】図５は、本発明のラップフィルムケースの受け皿システムにおけるラップフィルムケースのラップフィルム停止具（切断刃押し具）を押し下げた状態を示す断面図である。
【図６】図６は、本発明のラップフィルムケースの受け皿システムにおけるラップフィルムケースの回転制御具がロールを押し圧する状態を示す断面図である。
【図７】図７は、本発明のラップフィルムケースの受け皿システムにおけるラップフィルムケースの固定式受け皿へラップフィルムケースを配置しようとしている状態を示す側面図である。
【図８】図８は、本発明のラップフィルムケースの受け皿システムにおけるラップフィルムケースを固定式として使用する場合の斜視図である。
【図９】図９は、本発明のラップフィルムケースの受け皿システムにおける切断刃刃先の形状を示す正面図である。
【図１０】図１０は、従来品ケースの斜視図、ラップフィルム先端が見えない説明図である。
【図１１】図１１は、従来品ケースの斜視図であって、ケース蓋体の開閉の説明図である。
【図１２】図１２は、従来品ケースの斜視図であって、外部切断刃の説明図である。
【発明を実施するための形態】
【００４８】
以下本発明の実施の形態を図１〜図９に基づいて説明する。
【００４９】
図１はケース蓋体４を開きラップフィルムのロール９を収納した状態を示している。ケース本体１は箱型の上方開口式でロール９が配置出来るサイズであり、長期間使用出来る材質で形成されている。ケース蓋体４が本体縁部のヒンジ６Ｂにより連結され、自在に開閉が出来る。
【００５０】
図２はケース蓋体４を閉じた状態を示している、ケース蓋体４のラップフィルム出口側の切断刃収納部５には切断刃１１を収納した切断装置１３が構成してある。ケース本体１のフィルム出口側角部には蓋体閉止具１０が設けてあり、ケース蓋体４を閉状態において自動的に閉止し、ロール９の飛び出しを無くしている。蓋体閉止具１０を押すことにより閉止を解除し、ケース蓋体４を開けることが出来る。
【００５１】
図３を参照して切断刃閉止具１６を説明する。切断刃１１を収納することが第一の安全装置であり、切断刃閉止具１６は第二の安全装置である。ロール９の交換時に不要意に切断刃押し具５を押した場合や、幼児などが誤って触ってしまっても、切断刃刃先３３が外部へ押し出されることを閉止し安全を高める。
【００５２】
切断刃閉止具１６は切断刃押し具５に接する位置の蓋体２に回転可能に設けられ、切断刃押し具５に設けた押し具凹部１７に切断刃閉止具１６の一部を挿入させ、切断刃押し具５の動きを止める。
【００５３】
切断装置１３について、図３、図４を参照して説明する。
【００５４】
切断装置１３は引き出したラップフィルム８をケース蓋体４の開閉をすることなくワンタッチ切断することが出来ること、又、切断刃１１を内納して安全性を高めた装置である。
【００５５】
図３は切断刃１１が切断刃収納部５に収納されている状態を示し、図４は切断刃押し具５を押して、切断刃刃先３３が切断刃収納部５より押し出され、ラップフィルム８を切断出来る状態を示している。
【００５６】
切断装置１３にはラップフィルム８の幅をカバーする切断刃１１が構成され、切断刃１１の背部中央部には、切断刃１１を押し出す切断刃押し具１２が形成され、切断刃押し具１２上部はケース蓋体４の上部中央部に開けた穴部よりケース蓋体４の外部へ露出している。
【００５７】
切断刃押し具１２には弾性体支持部１５、１５Ｂが設けられ、切断装置１３に設けた受け具１４、１４Ｂにより支持され、切断刃１１は切断装置１３の内部を上下に自由にスライドする。切断刃押し具１２を押し、切断刃１１を押し出してラップフィルム８を切断後、押した力を解放すると、弾性体支持部１５、１５Ｂの弾性復元力により引き戻され、切断刃１１は切断装置１３内部へ自動的に収納される。
【００５８】
切断刃押し具１２を押し、切断刃刃先３３が外部へ露出するのは、ラップフィルム８を切断する瞬間だけであり、切断時以外は常時、切断装置１３内部へ自動的に収納される。
【００５９】
切断刃刃先３３の形状について、図３、図９を参照して説明する。
【００６０】
切断刃刃先３３の形状は、切断刃幅方向の中央部に２箇所の頂点を設け、頂点３４と頂点３４Ｂの間は谷３５を形成し、各頂点から切断刃幅方向の末端へはケース本体１の底辺に対して暖傾斜した形状である。例えれば、切断刃刃先３３先線全長は緩やかなＷ字形状である。
【００６１】
切断刃刃先３３の形状をＷ字形状の２頂点切断刃にすると、一つの頂点の切断より、センター優先切断がさらにスピーディ、スムースに出来る。
【００６２】
切断刃刃先３３の形状は蓋体切欠部７の形状に合致させた、緩やかな谷形状である。頂点３４と頂点３４Ｂの間隔は切り欠部の幅とほぼ同じである。
【００６３】
フィルム停止具１８について、図５により説明する。
【００６４】
フィルム停止具１８は、切断する時だけラップフィルム８の引き出しを強制的に停止させ、確実な切断をさせる機能である。もしも、切断時に抵抗なく自由にラップフィルム８が引き出された場合、切断刃刃先３３にラップフィルム８が引っかかりながら引き出される状態となり、かぎ裂き、又、破断などしてラップフィルム８の切断作業が中断されてしまうので、これを防止する。
【００６５】
フィルム停止具１８は切断刃押し具１２のラップフィルム８側に設けられている。図５は、切断刃押し具１２を、つまりフィルム停止具１８が押し下げられて、フィルム停止具１８の突起部１９が本体縁部２に接し、ラップフィルム８を挟み押え、当該ラップフィルム８の引き出しを停止した状態を示している。
【００６６】
フィルム停止具１８つまり切断刃押し具１２を押し下げない状態では、フィルム停止具１８の突起部１９と本体縁部２の間は自由空間でありラップフィルム８は押さえつけられず自由に引き出すことが出来る。
【００６７】
貼り付き防止具２０について、図１を参照して説明する。
【００６８】
貼り付き防止具２０はケース蓋体４を開けた時に、ラップフィルム８が舞上り、ロール９へ貼り付いてしまうことを防止する機能である。ロール９へ貼り付いたラップフィルム８を剥がすのは大変煩雑である。
【００６９】
貼り付き防止具２０は、ロール９を覆う蓋形状でケース本体縁部２のヒンジ２１Ｂにより連結され自在に開閉が出来る。貼り付き防止具２０の幅はラップフィルム８の中央部だけでもよく、全幅でも良い。
【００７０】
貼り付き防止具２０のラップフィルム出口側でラップフィルム８と接する縁部に、磁性体２２を設け、この磁性体２２の相対する位置の本体縁部２にも磁性体２３が設けてあり、磁力により貼り付き防止具２０を閉じている。
【００７１】
貼り付き防止具２０の磁性体２２とケース本体１の磁性体２３の磁力は、通常、磁力引きつけ力によりフィルム８を挟み押えてラップフィルム８を停止させていて、ラップフィルム引き出し時にはラップフィルム８が自在に通過出来る磁力である。
【００７２】
貼り付き防止具２０の開閉は基本的には手動であるが、閉じる時にはケース蓋体２を閉じることにより連動して自動的に閉じる。
【００７３】
従来のラップフィルムケースでは、ラップフィルムの巻き戻り防止、舞い上がり防止には、ケース外部へ塗布した粘着材へ、ラップフィルムを一時的に貼り付ける方法を採用している。効果は十分あるが、粘着材の有効性が短期であり、長期使用の詰替え式ラップフィルムケースには不適である。
【００７４】
前項の通り、粘着材でラップフィルムを貼り付けてあるので、ラップフィルムを引き出す為には、ケース蓋体を開いてから、ラップフィルムを剥がす作業が必要である。本発明ラップフィルムケースでの切断作業では、ケース蓋体４の開閉をしない機構なのでラップフィルム８をまくり上げて、粘着材から引き剥がす作業は出来ない。よって本発明ではまくり上げる必要の無い、効果の劣化がない永久使用できる、磁力引き付け力による貼り付き防止具２０を構成した。
【００７５】
回転制御具２４、２４Ｂについて図１、図６により説明する。
【００７６】
回転制御具２４、２４Ｂは、ケース本体１でのロール９の不要な動きと、空回転を止めることで、巻き戻りを防止して、ラップフィルム８先端のロール９への貼り付きを防止し、ラップフィルム８の引き出しを一定でスムースにする機能を有する。
【００７７】
回転制御具２４、２４Ｂは、図１で示す通り、弾性体２５とロール押え部２６により構成され、ケース蓋体４の内側で蓋体連結ヒンジ側に設けてある。
【００７８】
回転制御具２４、２４Ｂは図６で示す通り、ケース蓋体４を閉じることでロール９を押し圧する機構である。
ロール押え部２６は弾性部材２５の弾性力により、ロール９の直径の変化に合わせて直径方向に自在に角度を変える。
【００７９】
回転制御具２４、２４Ｂのロール押え部２６は弾性体２５の弾性力によるロール９への接触圧力により、ロール９の残量直径の変化に対応し回転を制御する。
【００８０】
本体切欠部３と蓋体切欠部７を図１、図２、により説明する。
【００８１】
本体切欠部３と蓋体切欠部７の複合切欠部には、前回切断されたラップフィルム８の先端が見えるように残留するので、ケース蓋体４を開けることなく、そのまま見えて、そのまま摘まめ、引き出せる。
【００８２】
本体切欠部３は図１、図２で示す通り、ケース本体１の底面角部のラップフィルム出口側中央に、指が入る凹形状の切欠として形成されている。蓋体切欠部７はケース蓋体４のラップフィルム出口側中央部の縁部に、指が入る凹形状の切欠として形成されている。二つの切欠部は相対している複合切欠部である。
【００８３】
本体切欠部３と蓋体切欠部７の複合切欠部を切断刃１１が遮断するのは、ラップフィルム８を切断する瞬間だけである。
【００８４】
仕切り具２８、２８Ｂについて図１、図６、により説明する。
【００８５】
仕切り具２８、２８Ｂは、短いサイズのロール９も使用できるための機能である。
【００８６】
仕切り具２８、２８Ｂは図１に示す通り、ケース本体１の内側でフィルム出口側底面に短いロール９に合わせた位置に支点２７、２７Ｂを設け、当該支点２７、２７Ｂをヒンジとして連結されロール直径方向へ９０度ほど回転が出来る。
【００８７】
仕切り具２８、２８Ｂは、図１に示す通り、通常のロール９を配置して使用する場合、ケース本体１の長さ方向に収納してある。
【００８８】
仕切り具２８、２８Ｂは、図６に示す通り、短いロール９を配置する場合に方向を変えて使用する。仕切り具２８、２８Ｂを９０度回転させ、つまり、ロール直径方向に９０度回転させ、１対の仕切り具２８、２８Ｂの間に、短いサイズのロール９を配置して使用する。
【００８９】
固定式受け皿３０を図７、図８、により説明する。
【００９０】
固定式受け皿３０を壁面、ボードなどに固定設置することで、本発明ラップフィルムケースは、固定式として使用できるシステムである。
【００９１】
固定式受け皿３０はケース本体１が配置できる上部開口型で、固定式受け皿３０の両側端には受け皿凹凸部３１Ｂが設けられていている。
【００９２】
ケース本体１の両側面には、ケース本体凹凸部２９、２９Ｂが形成されている。ラップフィルムケースを固定式として使用する場合に、受け皿凹凸部３１Ｂへ挿入する部分である。
【００９３】
固定式受け皿３０へラップフィルムケースを配置する場合。図７で示すように、ラップフィルムケースを手前に少し傾けて固定式受け皿３０へ入れ、ケース本体凹凸部２９、２９Ｂを受け皿凹凸部３１Ｂへはめ合わせることで、配置できる。
【００９４】
固定式受け皿３０よりラップフィルムケースを取り外す場合、ラップフィルムケースを手前に少し傾けながら、受け皿凹凸部３１Ｂよりケース本体凹凸部２９、２９Ｂを外すことで取り外せる。
【００９５】
固定式受け皿３０の受け皿凹凸部３１Ｂへケース本体凹凸部２９、２９Ｂを挿入し合致させることで、固定式受け皿３０からラップフィルムケースの脱落を防止している。    
前記受け皿凹凸部３１Ｂとケース本体凹凸部２９、２９Ｂがはめ合わされ、摩擦力とテコの原理にて、ラップフィルムケースが固定式受け皿３０から脱落しないシステムである。
【００９６】
前記とは異なる、受け皿凹凸部とケース本体凹凸部を構成していないシンプルな上方開放型の受け皿の場合、又は、いずれかの固定手段が無い場合は、引き出したラップフィルムを、図８で示す矢印▲３▼の方向、上方へ引き上げるだけで、ラップフィルムケースは簡単に、受け皿より飛び出し脱落してしまう。
【００９７】
本発明ラップフィルムケースを手持ち式としての使用方法を図２、図３、図４により説明する。
▲１▼、蓋体切欠部７に見えるラップフィルム８を、そのまま摘まんで引き出す。
▲２▼、切断刃押し具１２を指先で押し、切断刃１１を押し出し、保持する。
▲３▼、ラップフィルム８を上方へ９０度程、引き上げると瞬時に切断される。
【００９８】
図２で示すのは、前回の切断が終了した状態で、ラップフィルム８の先端が本体切欠部３と蓋体切欠部７で、ラップフィルム８の上面、下面とも開放された空間に、目視出来てそのまま的確に摘まめる状態を示している。
【００９９】
図３で示すのは、ラップフィルム８をそのまま摘み、必要量引き出した状態を示している。
【０１００】
図４で示すのは、切断刃押し具１２を押して切断刃１１を押し出した状態である。引き出したラップフィルム８を少し引っ張りながら９０度ほど切断刃１１側に傾けるか、ラップフィルムケースを９０度ほど回転させれば、瞬時に切断される。
【０１０１】
切断が終了し切断刃押し具１２より指を離すことで、切断刃１１は自動的に切断刃収納部５に収納され作業は完了する。
【０１０２】
再び図２の状態になり、ラップフィルム８の先端が本体切欠部３と蓋体切欠部７の空間に、目視出来て、そのまま的確につまめる状態になっているのが特徴である。速やかに２回目、３回目の切断作業が出来る。
【０１０３】
切断作業において、ラップフィルム８を、摘む、引き出す、切断するまで、ケース蓋体４の開閉作業はまったく不要である。ケース蓋体４の開閉は、ロール９をケース本体１へセットする時とロール９の残量を点検する時だけである。
【０１０４】
本発明のラップフィルムケースを固定式としての使用方法を、図８、により、説明する。
▲１▼固定式受け皿３０にセットし、切欠部７に見えるフィルム８を、そのまま引き出す。
▲２▼切断刃押し具１２を他方の指先で押し、切断刃１１を押し出し、保持する。
▲３▼ラップフィルム８を上方へ９０度程、引き上げると瞬時に切断される。
【０１０５】
本発明のラップフィルムケースを、固定式又は手持ち式の方法で使用しても、ラップフィルム８が、そのまま摘まめて、引き出せ、ケース蓋体４を開閉することなく、ワンタッチ切断が出来る利便性は同じである。
【０１０６】
本発明のラップフィルムケースを、固定式として使用しても、切断終了時には、再び複合切欠部にラップフィルム８が目視できる状態になるので、そのまますぐに２回目の切断作業が出来る。
【０１０７】
本発明のラップフィルムケースを、固定式として、使用すると、たとえば手こねハンバーグなどの料理で両手が食材でふさがれていても、ラップフィルムケースに触ることなく、ワンタッチ切断が出来るので、大変便利である。
【０１０８】
尚、本発明による、ラップフィルムケースは上述した例に限られるものではなく、本発明構成において、種々の変更を行うことが出来るものである。
【符号の説明】
【０１０９】
１  ケース本体
２  本体縁部
３  本体切欠部
４  ケース蓋体
５  切断刃収納部
６  ヒンジ（６Ｂ）
７  蓋体切欠部
８  ラップフィルム
９  ロール
１０  蓋体閉止具
１１  切断刃
１２  切断刃押し具
１３  切断装置
１４  支持具（１４Ｂ）
１５  弾性体支持具（１５Ｂ）
１６  切断刃閉止具
１７  押し具凹部
１８  フィルム停止具
１９  突起部
２０  貼り付き防止具
２１  ヒンジ（２１Ｂ）
２２  磁性体
２３  磁性体
２４  回転制御具（２４Ｂ）
２５  弾性部（２５Ｂ）
２６  ロール押え部
２７  支点（２７Ｂ）
２８  仕切り具（２８Ｂ）
２９  ケース本体凹凸部（２９Ｂ）
３０  固定式受け皿
３１Ｂ  受け皿凹部
３２  取り付けボード
３３  切断刃刃先
３４  頂点（３４Ｂ）
３５  谷
３６  角度
３７  幅
３８−５０  欠番
５１  ケース本体
５２  ケース蓋体
５３  切断刃
５４  ロール
５５  ラップフィルム
５６  摘み補助具
５７  粘着材塗布部
５８  巻き芯押さえ具
５９  ケース本体
６０  ケース蓋体
６１  切断刃
【図１】
0006041935.tif 000002
【図２】
0006041935.tif 000003
【図３】
0006041935.tif 000004
【図４】
0006041935.tif 000005
【図５】
0006041935.tif 000006
【図６】
0006041935.tif 000007
【図７】
0006041935.tif 000008
【図８】
0006041935.tif 000009
【図９】
0006041935.tif 000010
【図１０】
0006041935.tif 000011
【図１１】
0006041935.tif 000012
【図１２】
0006041935.tif 000013